(57)【要約】【課題】釣り糸の撚りを解消でき、根掛かりが生じにくい錘を提供する。【解決手段】錘１に中抜き孔４が形成され、頭部２の中心軸から中抜き孔４までに釣り糸が挿通できる通し孔５が形成されている。中抜き孔４には、通し孔５の下端に向くように撚り戻し部材６が可動的に取り付けられている。中抜き孔４の高さは、撚り戻し部材６のラインアイ６ａは、通し孔５の下端に接触しないような高さである。釣り糸を通し孔５を通して、ラインアイ６ａに繋ぐ。撚り戻し部材が収納型となっているため、それらによる根掛かりが生じない。【選択図】図１
2012175936.tif 000002
【特許請求の範囲】
【請求項１】
錘の中心軸が通るように撚り戻し部材を収納するための収納空間が前記錘の内部に設けられ、該収納空間は、前記錘の側面に開口する少なくとも１つの開口が設けられているとともに、前記錘の頭部の先端部から前記収納空間まで釣り糸を挿通するための通し孔が形成されており、前記収納空間には、撚り戻し部材が、その釣り糸接続側が前記通し孔の下端に向くように取り付けられており、前記撚り戻し部材の取付け位置と前記通し孔の下端との間隔は前記撚り戻し部材の取付け長さより大きいことを特徴とする釣り用錘。
【請求項２】
前記錘が少なくとも２つの部材で構成され、そのうちの１つの部材に前記収納空間が設けられていることを特徴とする請求項１に記載の釣り用錘。
【請求項３】
前記錘が上部部材と下部部材とにより構成され、両部材が着脱可能に結合されており、前記上部部材に前記収納空間が設けられていることを特徴とする請求項１に記載の釣り用錘。
【請求項４】
前記収納空間と前記開口とが、中抜き孔によって形成されていることを特徴とする請求項１ないし３のいずれか１項に記載の釣り用錘。
【請求項５】
一端に環が設けられた金属線の他端が回動可能に前記錘の後端に取り付けられていることを特徴とする請求項１ないし４のいずれか１項に記載の釣り用錘。
【発明の詳細な説明】
【技術分野】
【０００１】
本発明は、撚り戻し部材を収納し、根掛かりが生じにくい釣り用錘に関するものである。
【背景技術】
【０００２】
従来、魚釣りに用いられる錘としては、紡錘形状，円錐形状，球形状等に鉛で鋳造され、頂部に、釣り糸に繋ぐための冠が設けられたものが用いられている。図９は、その一例で、ナス型と呼ばれるものである。錘１５の頭部に金属線が曲げられた冠１６が鋳込まれて、取り付けられている。
【０００３】
この錘には、道糸や幹糸と呼ばれる釣り糸が繋がれる。例えば、船釣りや磯釣りの典型的な仕掛けである胴つき仕掛けは、幹糸の一番下に仕掛けを安定させるための錘が取り付けられる。釣り糸と錘との接続には、釣り糸に生じる撚りを解消させるため、ヨリモドシ，サルカン，スイベルなどと呼ばれる撚り戻し部材が介在されるのが普通である。釣りに際しては、錘は海底，川底，湖底等、仕掛けが降ろされる水底に位置する。水底には、石や岩が存在するから、仕掛けが動かされると、錘が石や岩に絡んで、いわゆる根掛かりを生じることがある。錘の形状を根掛かりし難い形状に形成しても、上述したように、撚り戻し部材を用いている仕掛けでは、錘１５の上部に取り付けられる撚り戻し部材や冠１６が石や岩の隙間に挟まってしまうという問題がある。
【０００４】
特許文献１に記載されたワンタッチパイプ式胴付き棒錘は、錘が根掛かりして抜けないときは、仕掛けの先端が通されたパイプから抜けるようにして、仕掛けを確実に回収できるものであるが、錘の損失は避けられず、撚り戻し部材を用いた場合には、撚り戻し部材の部分で根掛かりをすると、仕掛けを失うことは避けられない。
【先行技術文献】
【特許文献】
【０００５】
【特許文献１】特開平１１−３２６３９
【発明の概要】
【発明が解決しようとする課題】
【０００６】
本発明は、撚り戻し部材を収納し、釣り糸の撚りを解消でき、根掛かりが生じにくい錘を提供するものである。
【課題を解決するための手段】
【０００７】
本発明は、釣り用錘において、錘の中心軸が通るように撚り戻し部材を収納するための収納空間が前記錘の内部に設けられ、該収納空間は、前記錘の側面に開口する少なくとも１つの開口が設けられているとともに、前記錘の頭部の先端部から前記収納空間まで釣り糸を挿通するための通し孔が形成されており、前記収納空間には、撚り戻し部材が、その釣り糸接続側が前記通し孔の下端に向くように取り付けられており、前記撚り戻し部材の取付け位置と前記通し孔の下端との間隔は前記撚り戻し部材の取付け長さより大きいことを特徴とするものである。
【発明の効果】
【０００８】
本発明は、根掛かり原因となる錘の冠を不要とし、さらに、根掛かり原因となる撚り戻し部材を錘本体内部に収納することで、根掛かりをし難い錘を提供できるという効果がある。
【図面の簡単な説明】
【０００９】
【図１】本発明の釣り用錘の第１の実施例を説明するための断面図である。
【図２】図１の釣り用錘の使用の一例を示すものである。
【図３】本発明の釣り用錘の第１の実施例の第１の変形例を説明するための断面図である。
【図４】本発明の釣り用錘の第１の実施例の第２の変形例を説明するための断面図である。
【図５】本発明の釣り用錘の第２の実施例を説明するための断面図である。
【図６】本発明の釣り用錘の第３の実施例を説明するための断面図である。
【図７】図６で説明した第３の実施例の釣り用錘の使用方法の一例の説明図である。
【図８】図６で説明した第３の実施例の釣り用錘の使用方法の他の一例の説明図である。
【図９】従来から用いられている錘の一例の側面図である。
【発明を実施するための形態】
【００１０】
本発明は、錘の冠を排除し、かつ、撚り戻し部材を錘の内部に収納した構造であるから、根掛かりの可能性を低くして、かつ、錘に繋がれる釣り糸の撚りを解消できる錘を簡単な構造で実現した。
【００１１】
図１は、本発明の釣り用錘の第１の実施例を説明するための断面図であるが、取付部材と撚り戻し部材は側面図を図示した。図中、１は錘、２は頭部、３は胴部、４は収納空間、５は通し孔、６は撚り戻し部材、６ａはラインアイ、６ｂは取付環、７は取付部材、７ａは取付部、７ｂは止め部である。
【００１２】
図１に示した錘１の形状は、根掛かりしにくい形状としたものであり、この例では、全体が鉛で形成されているが、鉄やタングステン鋼など、鉛以外の材料でもよい。頭部２を先細りとし、徐々に直径が大きくなる形状とし、胴部４は円筒状となっているが、錘のより安定した飛行姿勢や沈下速度を速めるために、後部に重さの重心を持たせたナス型や水滴形にしてもよい。錘の根掛かりの大きな原因は、先端部の冠や、それに取り付けられる撚り戻し部材であるから、冠を排除し、撚り戻し部材を錘内部に収納させることで、先端部の根掛かりの解消につながる。
【００１３】
錘の頭部２には、側面に貫通して開口するように、中抜き孔として形成された収納空間４が内部に形成されている。したがって、収納空間４には、錘１の側面に開口する２つの開口が設けられているということができる。収納空間４は、錘１の中心軸が通るように形成されている。また、錘１の頭部２の先端部から収納空間４の上側の内壁面まで、中心軸を通る通し孔５が設けられている。通し孔５は、道糸や幹糸などの釣り糸を通すための孔である。収納空間４に撚り戻し部材５が収納されており、撚り戻し部材６は、取付部材７によって収納空間４の下側の内壁面に可動的に装着されている。
【００１４】
撚り戻し部材６は、ヨリモドシ，サルカン，スイベルなどと呼ばれているものを用いることができる。釣り糸は、ラインアイ６ａに繋がれ、回動可能であり、その回動によって繋がれた釣り糸の撚りを戻すことができる。撚り戻し部材の種類としてはスナップ付きや、糸止めの付いたものでもよい。
【００１５】
取付部材７は、この例では、金属線を用いて、先端に環状に巻いた取付部７ａが形成され、後端に抜け止めのための止め部７ｂが鈎状に形成されたものである。取付部材７を錘１に取り付ける方法としては、撚り戻し部材６を取り付けた取付部材７を錘１を鋳造する際に鋳込むようにして固定する方法が採用できる。この方法の場合には、止め部７ｂは、必ずしも錘１の後端に出る必要はなく、胴部３の中途までもよい。線状体でなくても、板状体などでもよい。また、収納空間４から錘１の後端まで通し孔を開けて、撚り戻し部材６を取り付けた取付部材７を通し孔に通した後に、錘１の後端に出た部分を曲げるなどして、抜け止めをする方法によっても、取付部材７を錘１に取り付けることができる。この方法の場合には、取付部材７は、鋳造の際の熱を受けることはないから、取付部材７の材料は、金属線でなくてもよく、ナイロンなどの合成樹脂を用いることもでき、先端に取付部７ａとして、金属線を巻いたリングなどを結びつけてもよい。要は、撚り戻し部材６の取付環６ｂが可動的に取り付けられれば足りるものであり、適宜の形状、材料でもよい。
【００１６】
撚り戻し部材６は、取付環６ｂが取付部材５の取付部７ａに可動的、この実施例では、取付部７ａの孔に挿通されているから、自由な向きを取ることができ、釣り糸との接続のときには、撚り戻し部材６のラインアイ６ａを収納空間４の開口の外側に出すことができるので、接続作業がし易い。また、釣り糸と結ばれた撚り戻し部材６は、釣り糸を引いたときには、釣り糸接続側であるラインアイ６ａが通し孔５の下端に向いて、錘１が釣り糸の繋がれることになる。したがって、撚り戻し部材６は、少なくとも、釣り糸接続側が通し孔の下端、および、開口の双方に向くことが可能なように可動的に取り付けられている。
【００１７】
図２は、図１の釣り用錘の使用状態の一例を示すものである。図中、図１と同様の部分には同じ符号を付して説明を省略する。８は幹糸、９はハリスである。この図は、胴つき仕掛けに図１の釣り用錘を用いた場合の錘の近傍部分を図示したものである。幹糸８の下端が撚り戻し部材６のラインアイに接続されている。錘１の頭部近傍の幹糸部分には、撚り戻し部材は繋がれていない。したがって、撚り戻し部材による根掛かりは生じるべくもない。また、図１に示すように、撚り戻し部材６の取付位置である取付環６ｂと通し孔５の下端との間隔は、撚り戻し部材６の取付長さより大きい。この条件によって、釣り糸に張力が加えられ場合に、撚り戻し部材６のラインアイ６ａが通し孔５の下端に接触することはなく、釣り糸の張力を少し緩めることによって、撚り戻し部材６によって撚りを戻すことができる。
【００１８】
図３は、本発明の釣り用錘の第１の実施例の第１の変形例を説明するための断面図であるが、取付部材と撚り戻し部材は側面図を図示した。図中、図１と同等の部分には同じ符号を付して説明を省略する。この変形例では、収納空間４を錘の軸方向の中央部に設けたものである。軽い重量の錘の場合には、錘の上部が細いため、収納空間４を設けることが困難であり、また、先端部の強度が不足するため、この変形例のようにすれば、収納空間４の形成が可能となる。
【００１９】
図４は、本発明の釣り用錘の第１の実施例の第２の変形例を説明するための断面図であるが、取付部材と撚り戻し部材は側面図を図示した。図中、図１と同等の部分には同じ符号を付して説明を省略する。この変形例では、収納空間４を錘の下部に設けたものである。水底において、錘の先端部や胴部が岩や石との接触する機会が多いルアーフィッシング用としては、このような下部の位置に設置するのがよい。
【００２０】
図５は、本発明の釣り用錘の第２の実施例を説明するための断面図であるが、取付部材と撚り戻し部材は側面図を図示した。図中、図１と同等の部分には同じ符号を付して説明を省略する。１ａは上部部材、１ｂは下部部材である。この実施例では、錘１を上部部材１ａと下部部材１ｂとに分割し、両者を着脱可能に結合した。この実施例では、上部部材１ａを、例えば、ポリエチレン，ＡＢＳ樹脂などの硬質の合成樹脂で形成して、収納空間４を設けたものである。下部部材１ｂは、鉛等の比重の大きい材料で構成した。しかし、上部部材１ａは、必ずしも、合成樹脂である必要はなく、木や金属材料など、適宜の材料でもよい。上部部材１ａと下部部材１ｂとの結合構造は、上部部材１ａの下部を凸状のボルト状に形成し、下部部材１ｂの上部を凹状のナット状とした螺合構造とした。上部部材１ａと下部部材１ｂとの間に、弾力性の有るゴム状ワッシャーを挟むことで、水の侵入防止と、錘が岩にぶつかって発生する振動に対しての緩み防止にも効果がある。上部部材１ａに対して、下部部材１ｂが着脱可能であることから、下部部材１ｂとして、様々な重量の錘を用意しておけば、その交換によって、錘の重量を容易にが変更できるという効果がある。上部部材１ａと下部部材１ｂとの結合構造は、螺合構造に限らず、嵌合構造など、着脱が可能な適宜の構造を採用することができる。
【００２１】
錘１を上部部材１ａと下部部材１ｂとに分ける構成においては、両者を着脱可能とせずに、接着などの固定の結合構造とすることによって、第１の実施例にも採用できる。このようにすれば、錘の製造にあたって、収納空間４を設ける部分を共通部品とし、鉛等の比重の大きい部分については、重量の異なる様々な部品として、両者の組合せを換えるだけで、種々の号数の錘を製造することができる。この場合、図１〜図３から分かるように、収納空間４が設けられる部分は、必ずしも上部に特定されなければならないものでなく、図３で説明した変形例では、中間部が収納空間が設けられた部材となり、比重の大きい部材を上部と下部として３つの部材の構成とされ、またはそれ以上の数の部材で構成することができる。図４で説明した変形例では、上部が比重の大きい部材となり、下部が収納空間４が設けられた部材となる。
【００２２】
図６〜図８は、本発明の釣り用錘の第３の実施例を説明するためのもので、投げ釣りに用いられる天秤を付属させた実施例であり、錘を断面図で図示し、他の部分は側面図で図示した説明図である。図１，図５と同様の部分には同じ符号を付して説明を省略する。１０は取付部、１１は天秤部材、１１ａは取付環、１１ｂは環である。
【００２３】
図６は、天秤付きの錘を示す。ステンレスやタングステン合金などの曲がりにくい金属線で一方端に取付環１１ａ、他方端に環１１ｂが設けられている。長さは、長ければ長いほど絡む可能性が減少するが、長くなると、空気は水に対する抵抗力が大きくなる。例えば、１０〜２０ｃｍ程度の長さが適当である。天秤部材１１の取付環１１ａを錘１の後端に固定した取付部材１０の取付孔に取り付ける。天秤部材１１は、取付部１０に回動可能に取り付けられる。環１１ｂは、仕掛けを取り付けることができ、また、半誘導式の結び方にも利用できる。
【００２４】
図７は、図６で説明した第３の実施例の釣り用錘の使用方法の一例を説明するためのもので、固定式の結び方であり、飛行中の状態を示す。１２は道糸、１３は仕掛けのモトスである。この例では、道糸１２を撚り戻し部材６のラインアイ６ｂに結び、環１１ｂに仕掛けのモトス１３を結んだものである。結び方が簡単であるが、アタリが取りにくい結び方である。
【００２５】
図８は、図６で説明した第３の実施例の釣り用錘の使用方法の他の一例を説明するためのもので、半誘導式の結び方であり、飛行中の状態を示す。１４はヨリモドシである。この例では、道糸９を撚り戻し部材３のラインアイ３ｂを通し、その先端にヨリモドシ１０を接続し、仕掛けのモトス９ｂを天秤部材８の環８ｂと通してヨリモドシ１０に結んだものである。半誘導式であるから、アタリが取りやすく、道糸９ａに生じる撚りは、ヨリモドシ１０で解消できる。
【００２６】
上述した説明において、収納空間４については、側面に通じる開口を収納空間４の両側に設けて、中通し孔として形成したが、本発明においては、撚り戻し部材６を収納するための収納空間４に対する開口は、撚り戻し部材６のラインアイ６ａに釣り糸を結ぶ際に、釣り糸が結びやすい程度、例えば、少なくともラインアイ６ａの１／２程度が錘の側面に露出されればよいから、開口は１つでも足りるものである。すなわち、側面から見て、行き止まりの穴としてもよい。また、収納空間４に対して、側面への開口は、３つ以上でもよい。
【符号の説明】
【００２７】
１…錘、１ａ…上部部材、１ｂ…下部部材、２…頭部、３…胴部、４…収納空間、５…通し孔、６…撚り戻し部材、６ａ…ラインアイ、６ｂ…取付環、７…取付部材、７ａ…取付部、７ｂ…止め部、８…幹糸、９…ハリス、１０…取付部、１１…天秤部材、１１ａ…取付環、１１ｂ…環、１２…道糸、１３…仕掛けのモトス、１４…ヨリモドシ。
【図１】
2012175936.tif 000003
【図２】
2012175936.tif 000004
【図３】
2012175936.tif 000005
【図４】
2012175936.tif 000006
【図５】
2012175936.tif 000007
【図６】
2012175936.tif 000008
【図７】
2012175936.tif 000009
【図８】
2012175936.tif 000010
【図９】
2012175936.tif 000011